【事件の表示】
　特願２００１−４０２８６１「乳房受けカップを有する衣類」拒絶査定に対する審判事件〔平成１５年　２月１３日出願公開、特開２００３−　４１４０６、請求項の数（１）〕について、次のとおり審決する。
【結　論】
　原査定を取り消す。
　本願の発明は、特許すべきものとする。
【理　由】
１　本願発明
　本願は、平成１３年７月３日に出願した特願２００１−２３９９３８号の一部を、平成１３年１２月１９日に新たな特許出願としたものであって、その請求項１に係る発明（以下、「本願発明」という。）は、平成１４年６月２１日付けの手続補正書により補正された明細書の特許請求の範囲の請求項１に記載された事項により特定されるとおりの次のものと認める。
「【請求項１】右乳房受けカップ部Ｅを左右に分割できるようにして、左右に分割した右乳房受けカップ部Ｅを結合式Ｇを用いて結合できるようにし、左乳房受けカップ部Ｆを左右に分割できるようにして、左右に分割した左乳房受けカップ部Ｆを結合式Ｈを用いて結合できるようにし、フロント部分Ｘを自由に交換できるようにした、以上の構成を有する乳房受けカップを有する衣類。」
　
２　原査定の理由
　原査定の拒絶の理由の概要は、本願発明は、本願の出願前に国内において頒布された刊行物である、特開平９−９５８０７号公報（以下、「引用例」という。）に記載された発明に基いて当業者が容易に発明をすることができたものであるから、特許法２９条２項の規定により特許を受けることができない、というものである。
　
３　引用例の記載事項
　引用例には、図面とともに以下の事項が記載されている。
　ａ「【発明の属する技術分野】本発明は、カップ体および身頃体からなるブラジャー、水着、ボディスーツ等トップのボディ構造、特にカップ体の構造に関する。」（段落【０００１】）
　ｂ「そこで、本発明は前記従来のトップにおけるカップ体における課題を解決して、あまり豊かでない乳房の着用者にとっても、胸元の豊かな谷間のシルエットが容易に得られる簡素な構成の造形機能を有するカップ体を提供する。」（段落【０００４】）
　ｃ「【課題を解決するための手段】上記課題を解決するために、本発明は、左右のカップ体および身頃体からなるブラジャー等トップのカップ体において、これら左右のカップ体のそれぞれの上縁部および内縁部に沿ってほぼ三日月形状の谷間造形片を添設したことを特徴とするもので、これを課題解決のための手段とするものである。……本発明は、前記谷間造形片がカップ体に着脱自在に取着されてもよいし、……さらに、前記谷間造形片が皮膚に類似する表面を有し、かつ肌色に着色され、これらを課題解決のための手段とするものである。」（段落【０００５】）
　ｄ「【０００６】
　　【作用】本発明では、左右のカップ体２、３のそれぞれの上縁部２Ｈ、３Ｈおよび内縁部２Ｍ、３Ｍに沿ってほぼ三日月形状の谷間造形片５、６を添設したことによって、あまり豊かでない乳房の着用者であっても、これらのカップ体２、３を備えるトップ１を着用することによって、これら左右のカップ体２、３のそれぞれの上縁部２Ｈ、３Ｈおよび２Ｍ、３Ｍに沿って添設されたほぼ三日月形状の谷間造形片５、６が、恰も乳房がカップ体の上縁部からはみ出して隆起して隆起丘を形成している様相を呈することになり、カップ体の上縁部および内縁部に沿ってほぼ三日月形状の谷間造形片を添設するだけの簡素な構成にて胸元の豊かな谷間Ｖのシルエットが容易に得られることになり……」（段落【０００７】）
　ｅ「図３は、本発明の第３実施の形態を示すものである。本実施の形態は、前記第１実施の形態と同様に……さらに、前記谷間造形片５がカップ体２に例えば面ファスナー２Ａ、５Ａ等により着脱自在に取着されたものである。これによって、……不必要な時には該谷間造形片５を外しておくことができる。」（段落【００１１】）
　以上の記載及び図１、図３によれば、引用例には、
「左右のカップ体および身頃体からなるブラジャー等のトップにおいて、左右のカップ体のそれぞれの上縁部および内縁部に沿ってほぼ三日月形状の谷間造形片を面ファスナー２Ａ、５Ａ等により着脱自在に取着けたトップ」
の発明が記載されているものと認められる。
　
４　対比・判断
（１）まず、本願発明を特定する事項である「フロント部分Ｘ」が、どの部分を意味しているのか、必ずしも明確ではないので、本願の明細書及び図面の記載をみると、明細書には、「【課題を解決するための手段】乳房受けカップを有する衣類のカップとカップの間のフロント部分で、右乳房受けカップ部Ｅを点Ａから点Ｃで左右に分割できるようにして、分割した右乳房受けカップ部Ｅを結合式Ｇを用いて結合できるようにし、左乳房受けカップ部Ｆを点Ｂから点Ｄで左右に分割できるようにして、分割した左乳房受けカップ部Ｆを結合式Ｈを用いて結合できるようにし、フロント部分Ｘやフロント部分Ｙやフロント部分Ｚと自由に色々交換できるようにした。」（段落【０００４】）、「【実施例】図１のように、乳房受けカップを有する衣類のカップとカップの間のフロント部分において、右乳房受けカップ部Ｅを点Ａから点Ｃで分割できるようにして……」（段落【０００６】）との記載があり、図１−１〜図１−３には、それぞれ、フロント部分Ｘ、Ｙ、Ｚが胸部中央部を指示する引き出し線によって示されている。
　以上の本願の明細書及び図面の記載を参酌すると、左右の乳房受けカップ部Ｅ、Ｆが、それぞれ結合式Ｇ、Ｈを用いて左右に分割され、それによってフロント部分Ｘが自由に交換できるようになっていることから、「フロント部分Ｘ」は、右乳房受けカップ部の分割された左部分と、左乳房受けカップ部の分割された右部分と、それらの間の胸部中央部分とから構成される部分、と解される。
（２）そこで、本願発明と引用例記載の発明とを対比すると、引用例記載の発明の「左右のカップ体」は、本願発明の「右乳房受けカップ部」及び「左乳房受けカップ部」に相当し、引用例記載の発明の「トップ」は、本願発明の「乳房受けカップを有する衣類」に相当するから、両者は、右乳房受けカップ部と左乳房受けカップ部を有する衣類、である点で一致している。
　しかしながら、引用例記載の発明では、左右の乳房受けカップ部（カップ体）は、本願発明のように、左右に分割されておらず、かつ、身頃体がカップ部（カップ体）の下方に連結されている（図１参照。）から、引用例記載の発明は、自由に交換できるフロント部分を有していない。
　ところで、引用例記載の発明は、左右の乳房受けカップ部（カップ体）のそれぞれの上縁部および内縁部に沿ってほぼ三日月形状の谷間造形片を面ファスナー等により着脱自在に取着けてあるが、この谷間造形片は、恰も乳房がカップ体の上縁部からはみ出して隆起して隆起丘を形成している様相を呈し、胸元の豊かな谷間のシルエットを容易に得るためのものであって、不必要な時には外しておくことができるものであり（記載ｄ参照。）、乳房受けカップ部（カップ体）を構成するものとはいえない。また、仮に、谷間造形片が乳房受けカップ部（カップ体）を構成しているとしても、引用例記載の発明は、上記のように、身頃体がカップ部（カップ体）の下方に連結されており、しかも、身頃体の一部が左右の谷間造形片の間の胸部中央部分を構成しているから、自由に交換できるフロント部分を有しているとはいえない。
　したがって、本願発明は、引用例記載の発明に基いて当業者が容易に発明をすることができたものということはできない。
　
５　むすび
　以上のとおりであるから、原査定の拒絶の理由によっては、本願を拒絶すべきものとすることはできない。
　また、他に本願を拒絶すべき理由を発見しない。
　よって、結論のとおり審決する。